(57)【要約】【課題】ビルディングの一階層を多数に区画して個室化された狭いオフィス１１内に仮眠ベッド４４、書籍棚２３、ロッカー４５、机２２などを設置してもオフィスとしての執務機能を有しかつ衛生的、経済的、美観的執務環境を有する機能的なオフィス構造を提供することにある。【解決手段】オフィスを構成する天井３５の一部を開口して、天井裏空間口を設けて、天井裏空間３３と室内空間を一体化し、該一体化されたオフィス空間１２に立体的に構築された多目的ユニット家具１３を設置したオフィス構造とする。【選択図】図４
2004360422.tif 000002
【特許請求の範囲】
【請求項１】
オフィスを構成する天井の一部を開口して天井裏空間口を設けて、天井裏空間と室内空間を一体化し、該一体化されたオフィス空間に立体的に構築された多目的ユニット家具を設置したことを特徴とするオフィス構造。
【請求項２】
多目的ユニット家具が、机、仮眠ベッド及びロッカーを有し該机の上部に仮眠ベッドを配置し、該仮眠ベッドの側面にロッカーを設けるとともに、タラップ、書籍棚及び可動式ハンガーパイプが該ロッカー内に取り付けられていることを特徴とする、請求項１に記載のオフィス構造。
【請求項３】
天井裏空間口が、開閉自在の天井開口カバーを有するとともに多目的ユニット家具が設置されているときは、該天井開口カバーが垂直な状態で天井裏に設置されていることを特徴とする、請求項１または請求項２のオフィス構造。
【発明の詳細な説明】
【０００１】
【発明の属する技術分野】
【０００２】
本発明は天井裏の空間と室内空間を一体化して利用したオフィス構造に関する。
詳細には、天井裏の空間と室内空間が一体化されたオフィス空間に、立体的に構築された多目的ユニット家具が設置されたオフィス構造に関する。
【０００３】
【従来の技術】
【０００４】
ビルディングの一階層を多数に区画して個室化されたオフィスでは、室内空間が狭いため、オフィス機能に必要なロッカーや書籍棚を設置するのは困難であった。又、執務者が長時間作業する場合などは仮眠ベッド等も求められるところであるがやはり室内空間が狭いため設置するのは困難であった。しかしながらオフィスの有効かつ機能的利用の観点から区画して個室化された室内空間が狭いオフィスであってもロッカー、書籍棚、仮眠施設の機能を有するオフィスが求められている。
【０００５】
従来、室内の立体的利用としてベッド、机、タンス兼用家具が知られている（例えば、実用新案文献１参照。）。しかしこの家具は、ベッド、机などが室内空間内のみに設置された構造であり又、昇降用の梯子も室内に露出され、背面の囲いが無い為に昇降時の不安定感を奏するものである。
【０００６】
また、狭い居室に設置するベッドを収納式にした机、タンスの組合せ家具が知られている（例えば、特許文献１参照。）。この組合せ家具は天井面より下部の室内でベッド収納とソファーを兼用する方法で、単身者などの狭い居住スペースの効率的な活用を可能としているが、平面的にベッド収納スペースとソファスペースが必要であり、狭いオフィスでは室内を圧迫する。又、ベッド、タンスが視認されるのでオフィス執務室の環境悪化をもたらすことになり、オフィスでの利用は不都合である。
【０００７】
また広いオフィスでは、仮眠ベッド、机、ロッカー、書籍棚が天井面と床面で仕切られた室内空間をそれぞれ平面的に通路で繋ぐ形でそれぞれスペースを占有して設置されるが、このような構成をビルディングの一階層を多数に区画して個室化されたオフィスで適用するのは不都合である。
【０００８】
【実用新案文献１】
第３００５３９８号公報
【０００９】
【特許文献１】
特開平６−１４１９５３公報
【００１０】
【発明が解決しようとする課題】
本発明の解決すべき課題は、ビルディングの一階層を多数に区画して個室化された狭いオフィス内に仮眠ベッド、書籍棚、ロッカー、机などを設置してもオフィスとしての執務機能を有しかつ衛生的、経済的、美観的執務環境を有する機能的なオフィス構造を提供することにある。
【００１１】
【課題を解決する為の手段】
すなわち本発明の課題を解決するための手段は、次のとおりである。
【００１２】
第１に、オフィスを構成する天井の一部を開口して天井裏空間口を設けて、天井裏空間と室内空間を一体化し、該一体化されたオフィス空間に立体的に構築された多目的ユニット家具を設置したことを特徴とするオフィス構造。
第２に、多目的ユニット家具が、机、仮眠ベッド及びロッカーを有し該机の上部に仮眠ベッドを配置し、該仮眠ベッドの側面にロッカーを設けるとともに、タラップ、書籍棚及び可動式ハンガーパイプが該ロッカー内に取り付けられていることを特徴とする、請求項１に記載のオフィス構造。
第３に、天井裏空間口が、開閉自在の天井開口カバーを有するとともに多目的ユニット家具が設置されているときは、該天井開口カバーが垂直な状態で天井裏に収納されていることを特徴とする、請求項１または２のオフィス構造。
【００１３】
【発明の実施の形態】
【００１４】
以下に本発明に係るオフィス構造の一実施例について説明するが、本発明の技術的範囲は以下の実施例に限定されるものではない。
【００１５】
図１に、オフィスを配置した全体図を示す。事務所ビルの一階層を示し、階段１、男子便所２、女子便所３、エレベーター４、湯沸し室５、会議室７などのオフィスの供用施設があり、オフィスはそれぞれ間仕切壁１９、出入り口扉２０で区画され独立した部屋となっている。最近のＳＯＨＯ、インキュベイションオフィス用の施設に対応できる構造としている。中央にはエレベーターホール１０を中心に受付カウンター８、受付事務室９、談話スペース１８を配置し個室化されたオフィスの機能を補完したオフィス配置としている。本発明のオフィス１１はオフィス空間１２の中に多目的ユニット家具１３を配置した構造としている。このオフィス１１が同じ階に複数配置される。
【００１６】
図２に、本発明のオフィス構造の平面図を示す。オフィス１１は入り口から奥側に多目的ユニット家具１３が配置されている。該多目的ユニット家具１３は、正面に机２２、その脇のロッカー扉２６の内側にタラップ２４、可動式ハンガーパイプ２５、書籍棚２３、昇降路及びロッカースペース２８が組み込まれている。オフィス空間１２からは、図５に示すように、机２２とロッカー扉２６及び多目的ユニット家具化粧板材２７だけがオフィス空間１２より見える構造としている。従って端整なオフィス環境が確保される。
【００１７】
図３に、本発明オフィスの平面図、図２のＡ−Ａ断面図を示す。ビルディングの一階層をモデル図としているので、オフィス１１は、オフィス上階３８、オフィス下階２９の中間に位置し隣室３４に接している。建物コンクリート構造床３０、建物コンクリート構造梁３１に囲まれた空間に天井３５、間仕切壁１９、建物コンクリート構造床３０に囲まれてオフィス空間１２を構成している。天井３５を開口して天井裏空間口を作り、その上部の天井裏空間３３を天井裏間仕切材３６で仕切り、該天井裏空間を室内空間と一体とし、一体となったオフィス空間１２に机２２、書籍棚２３、タラップ２４、可動式ハンガーパイプ２５、仮眠ベッド４４から構成される多目的ユニット家具１３を設置して、該天井裏空間口の奥まで差込み、オフィス１１の床面から天井裏まで立体的に利用できる構造としている。
【００１８】
天井裏空間３３は一般に１０００ミリメートルから１２００ミリメートルあることが多くあり、該空間を室内空間と一体化して利用する。仮眠スペース３２は高さ１２００ミリメートル程度必要であるが、該天井裏空間３３を利用すれば、仮眠ベッド４４の下側の天井高さは他のオフィス天井材３５と同程度の高さとなり、該仮眠ベッド４４下方に配置された机上の執務に圧迫感などの環境的影響を与えることが少ない。又、ロッカー４５内に組み込んだ書籍棚２３、タラップ２４、可動式ハンガーパイプ２５などはオフィス空間１２からロッカー扉２６で仕切られており、視認できない構造としている。
【００１９】
図４に、本発明オフィスの平面図、図２のＢ−Ｂ断面図を示す。昇降路及びロッカースペース２８内のタラップを昇降する者の背面を囲う形でロッカー外装材３７を取り付ける。仮眠ベッドへの昇降時は可動式ハンガーパイプ２５を書籍棚２３側へ移動させて利用する。該タラップ２４の脇に書籍棚２３を床面から上階の建物コンクリート構造床３０の直近まで設ける。タラップ２４は昇降用として又、書籍の出し入れ作業が行なえる距離に配置し兼用出来る形態としている。
【００２０】
図６及び図７に示すように、将来オフィス１１の机の配置を変更し、多目的ユニット家具１３を移動して天井裏空間３３を利用しない場合は、該多目的ユニット家具１３の設置時に天井裏に垂直に収納したそれぞれ個別に取り外しの出来る複数に分割した天井開口部カバー化粧材４０で、天井裏空間口を閉鎖する構造としている。その為、その天井高さは該オフィス１１の天井高さと同じ高さとなる。又、天井開口部カバー化粧材４０に天井開口部カバー補強材４１と倉庫床材４２を組合せて強度を持たせ、脚立等の足場を利用して、簡易な倉庫として利用することも出来る。物品を収納後は搬入口となった該天井開口部カバー化粧材４０で閉鎖する事でオフィス天井が均一の高さにできるオフィス構造としている。
【００２１】
【発明の効果】
【００２２】
天井裏空間と室内空間を一体化したオフィス空間１２に多目的ユニット家具１３を設置した、該天井裏空間３３の利用は執務室の実質的占有スペースの増大が図れ、オフィス１１にゆとりのオフィス空間１２を作り出す事ができる。
【００２３】
仮眠ベッド４４は天井内であるので、執務室内で視認される事がなくオフィス環境への空間的、美観的、環境悪化を排除する事ができる。又、タラップ２４を経由して仮眠ベッド４４が利用されるので、執務業務と仮眠の区別が明確化されて衛生的である。
【００２４】
仮眠ベッド４４の脇に取り付けたロッカー４５内の、該仮眠ベッド４４への昇降用のタラップ２４は、昇降時にロッカー外装材３７で昇降者の背面が囲われた形状となり、不安定感を減らし、墜落、転倒を防止し、安全性を高めることができる。又、書籍の高所での出し入れ作業に兼用できる為、効率的である。しかも、ロッカー内部に固定しているので出し入れの度に脚立などの作業用の足場を用意する必要がなく機能的である。さらに、ロッカー扉２６の内側に設置されるので、オフィス空間１２の執務室としての美観的環境を維持できる。
【００２５】
又、多目的ユニット家具１３を移動した後は、天井裏間仕切材で仕切られた天井裏空間３３に垂直に収納された、天井開口部カバー化粧材４０で閉鎖することで、オフィスのフレキシブルな机の配置などに対応が可能であり機能的である。そして又、その天井開口部カバー化粧材４０に天井開口部カバー補強材４１などで強度をもたせた構造とすることで、天井裏の閉鎖された空間が簡易な倉庫として利用できるので経済的である。
【００２６】
【図面の簡単な説明】
【００２７】
【図１】オフィスを配置した実施例を示す全体図である。
【図２】オフィスの実施例を示す平面図である。
【図３】オフィスの実施例を示すＡ−Ａ断面図である。
【図４】オフィスの実施例を示すＢ−Ｂ断面図である。
【図５】オフィスの実施例を示す室内透視図である。
【図６】多目的ユニット家具移動後の実施例を示すオフィス天井伏図である。
【図７】多目的ユニット家具移動後の実施例を示すＡ−Ａ断面図である。
【００２８】
【符号の説明】
１、  階段                            ３０、建物コンクリート構造床
２、  男子便所                        ３１、建物コンクリート構造梁
３、  女子便所                        ３２、仮眠スペース
４、  エレベーター                    ３３、天井裏空間
５、  湯沸し室                        ３４、隣室
６、  パイプスペース                  ３５、天井
７、  会議室                          ３６、天井裏間仕切り材
８、  受付カウンター                  ３７、ロッカー外装材
９、  受付事務室                      ３８、オフィス上階
１０、エレベータホール                ３９、天井吊ボルト
１１、オフィス                        ４０、天井開口部カバー化粧材
１２、オフィス空間                    ４１、天井開口部カバー補強材
１３、多目的ユニット家具              ４２、倉庫床材
１４、通路                            ４３、仮眠ベッド支持床材
１５、柱                              ４４、仮眠ベッド
１６、窓                              ４５、ロッカー
１７、壁
１８、談話スペース
１９、間仕切り壁
２０、出入り口扉
２１、多目的ユニット家具軸組構造材
２２、机
２３、書籍棚
２４、タラップ
２５、可動式ハンガーパイプ
２６、ロッカー扉
２７、多目的ユニット家具化粧板材
２８、昇降路及びロッカースペース
２９、オフィス下階
【図１】
2004360422.tif 000003
【図２】
2004360422.tif 000004
【図３】
2004360422.tif 000005
【図４】
2004360422.tif 000006
【図５】
2004360422.tif 000007
【図６】
2004360422.tif 000008
【図７】
2004360422.tif 000009